(57)【特許請求の範囲】
【請求項１】
複数の光通信路のそれぞれを通じて伝送される通信光の一部を漏洩光として取り出すための複数の通信光可視化アダプタと、
複数の前記通信光可視化アダプタが実装されるパネルと、
前記パネルが設置される光配線用棚板と、
複数の前記通信光可視化アダプタを通じて取り出される前記漏洩光のそれぞれを受光して複数の前記光通信路のそれぞれにおける通信状況を検知するための複数の受光素子とその結果を人間が目視確認できる形態で出力するための複数の発光素子とが一括して実装される通信光検知基板と、
給電部が電気的に接続されて前記通信光検知基板に電源を供給するための給電ポートと、
を備え、
前記パネルと前記通信光検知基板と前記給電ポートは、前記光配線用棚板の表面側に設けられ、
前記給電ポートは、前記光配線用棚板の裏面側に配線される給電線を通じて前記通信光検知基板に電気的に接続されている
ことを特徴とする通信光可視化パッチパネル。
【請求項２】
前記光配線用棚板は、所定の配列で穿設され、排熱するための通気孔を有する
ことを特徴とする請求項１に記載の通信光可視化パッチパネル。
【発明の詳細な説明】
【技術分野】
【０００１】
本発明は、光通信路における通信状況の目視確認を目的として光通信路を通じて伝送される通信光の可視化を実現する通信光可視化パッチパネルに関する。
【背景技術】
【０００２】
従来より、光通信関連設備においては、光通信路における通信状況（例えば、光通信路が使用中であるか否か）の目視確認を目的として光通信路を通じて伝送される通信光の可視化を実現する通信光可視化技術が採用されている。
【０００３】
通信光可視化技術としては、例えば、光通信路を通じて伝送される通信光の一部を漏洩光として取り出すための通信光可視化アダプタと、通信光可視化アダプタを通じて取り出される漏洩光を受光して光通信路における通信状況を検知すると共にその結果を人間が目視確認できる形態で出力するための通信光検知器と、を備える通信光可視化構造が知られている（例えば、特許文献１乃至５を参照）。
【先行技術文献】
【特許文献】
【０００４】
【特許文献１】特開２００９−１４５６７６号公報
【特許文献２】特開２０１０−２３１０８２号公報
【特許文献３】特開２０１１−０１３３５９号公報
【特許文献４】特開２０１１−０１３３６０号公報
【特許文献５】特開２０１３−２２８６７８号公報
【発明の概要】
【発明が解決しようとする課題】
【０００５】
しかしながら、通信光可視化構造においては、光通信路における通信状況の目視確認を行う際に、作業者が通信光検知器を通信光可視化アダプタに嵌挿する必要があるため、作業負担が大きく、また作業空間や嵌挿空間が必要となるため、通信光可視化アダプタの高密度実装を目指す上で障害となっている。
【０００６】
そこで、本発明の目的は、作業負担を軽減すると共に通信光可視化アダプタの高密度実装を実現することが可能な通信光可視化パッチパネルを提供することにある。
【課題を解決するための手段】
【０００７】
本発明は、複数の光通信路のそれぞれを通じて伝送される通信光の一部を漏洩光として取り出すための複数の通信光可視化アダプタと、複数の前記通信光可視化アダプタが実装されるパネルと、複数の前記通信光可視化アダプタを通じて取り出される前記漏洩光のそれぞれを受光して複数の前記光通信路のそれぞれにおける通信状況を検知するための複数の受光素子とその結果を人間が目視確認できる形態で出力するための複数の発光素子とが一括して実装される通信光検知基板と、給電部が電気的に接続されて前記通信光検知基板に電源を供給するための給電ポートと、を備える通信光可視化パッチパネルである。
【発明の効果】
【０００８】
本発明によれば、作業負担を軽減すると共に通信光可視化アダプタの高密度実装を実現することが可能な通信光可視化パッチパネルを提供することができる。
【図面の簡単な説明】
【０００９】
【図１】本発明の実施の形態に係る通信光可視化パッチパネルの構造を示す斜視図である。
【図２】本発明の実施の形態に係る通信光可視化パッチパネルの構造を示す部分斜視図である。
【図３】本発明の実施の形態に係る通信光可視化パッチパネルの構造を示す部分斜視図である。
【図４】本発明の実施の形態に係る通信光可視化パッチパネルの構造を示す側面図である。
【発明を実施するための形態】
【００１０】
以下、本発明の実施の形態を添付図面に順って説明する。
【００１１】
図１に示す通り、本発明の実施の形態に係る通信光可視化パッチパネル１００は、複数の光通信路のそれぞれを通じて伝送される通信光の一部を漏洩光として取り出すための複数の通信光可視化アダプタ１０１と、複数の通信光可視化アダプタ１０１が実装されるパネル１０２と、パネル１０２が設置される光配線用棚板１０３と、複数の通信光可視化アダプタ１０１を通じて取り出される漏洩光のそれぞれを受光して複数の光通信路のそれぞれにおける通信状況を検知するための複数の受光素子（不図示）とその結果を人間が目視確認できる形態で出力するための複数の発光素子（不図示）とが一括して実装される通信光検知基板１０４と、光配線用棚板１０３に設置されると共に給電部１０５が電気的に接続されて通信光検知基板１０４に電源を供給するための給電ポート１０６と、を備えている。
【００１２】
通信光可視化アダプタ１０１は、例えば、光ファイバからなる光通信路を光学的に接続するための２つのＳＣフェルールを内蔵している。２つのＳＣフェルールのそれぞれは、両端に研磨が施されており、光通信路の光軸をずらすために少しだけずらして突き合わせ接続されている。これにより、光通信路を通じて伝送される通信光の一部を漏洩光として取り出すことが可能となる。
【００１３】
また、通信光可視化アダプタ１０１は、漏洩光を通信光可視化アダプタ１０１の内部から外部に向けて導光して取り出すための光取出孔を有しており、その光取出孔のそれぞれに複数の受光素子のそれぞれが嵌挿されるように、通信光検知基板１０４が配置されている。
【００１４】
パネル１０２は、図２に示す通り、所定の配列（例えば、千鳥配列や並列配列）で穿設されると共に通信光可視化アダプタ１０１を実装するための実装口１０７と、実装口１０７に通信光可視化アダプタ１０１を螺子やビス等で固定するための固定孔１０８と、パネル１０２の裏面側に配置される通信光検知基板１０４の発光素子の光を表面側から確認可能とするための表示孔１０９と、を有している。
【００１５】
光配線用棚板１０３は、所定の配列（例えば、千鳥配列や並列配列）で穿設されると共に通信光可視化パッチパネル１００が収容されるサーバラックに籠もる熱を排熱するための通気孔１１０と、光配線用棚板１０３をサーバラックに固定するための固定部１１１と、を有している。
【００１６】
通信光検知基板１０４は、１つで一部の光通信路（図１においては６つ毎の光通信路）における通信状況を検知するサイズに形成しても良いし、１つで全ての光通信路における通信状況を検知するサイズに形成しても構わない。１つで一部の光通信路における通信状況を検知するサイズに形成する場合は、図３に示す通り、複数の通信光検知基板１０４のそれぞれを小型のコネクタ１１２を使用して給電路を電気的に接続することが望ましい。これにより、１つの給電ポート１０６で全ての通信光検知基板１０４に給電が行えるため、給電ポート１０６の数を減らして配線空間を有効利用することが可能となる。
【００１７】
また、通信光検知基板１０４は、図３に示す通り、通信光検知基板１０４の両端部に配置される通信光可視化アダプタ１０１に固定される舌片１１３を有している。これにより、通信光可視化アダプタ１０１に対する通信光検知基板１０４の位置ズレを防止することができるため、複数の光通信路のそれぞれにおける通信状況を高精度で検知することが可能となる。
【００１８】
給電部１０５は、例えば、携帯型バッテリやコンセント等からなり、給電コード１１４を通じて給電ポート１０６に電気的且つ着脱自在に接続されている。これにより、光通信路の通信状況を検知する必要があるときのみ給電が行えるため、消費電力の削減に寄与することが可能となる。
【００１９】
給電ポート１０６は、通信光可視化アダプタ１０１と離れた位置に配置されている。これにより、給電部１０５を給電ポート１０６に電気的に接続する際に作業者の手が光通信路に触れ難くなるため、光コネクタの誤抜や光通信路の断線を効果的に抑制することが可能となる。
【００２０】
また、給電ポート１０６は、図４に示す通り、光配線用棚板１０３の裏面側に配線される給電線１１５を通じて通信光検知基板１０４（通信光検知基板１０４が複数ある場合はそのうちの１つ）に電気的に接続されている。これにより、給電線１１５が光配線用棚板１０３の表面側に配線される光通信路と干渉することが無いため、給電線１１５と光通信路との絡まりや断線を抑制することが可能となる。
【００２１】
以上の通り、通信光可視化パッチパネル１００によれば、給電部１０５を給電ポート１０６に電気的に接続している間は、何の作業も無しに複数の光通信路のそれぞれにおける通信状況を一括して検知することができるため、光通信路における通信状況を検知する際の作業負担を軽減することが可能となる。
【００２２】
また、通信光可視化パッチパネル１００によれば、従来の通信光可視化構造のように、通信光検知器を通信光可視化アダプタ１０１に嵌挿する必要が無く、作業空間や嵌挿空間を必要としないため、通信光可視化アダプタ１０１の高密度実装を実現することが可能となる。
【符号の説明】
【００２３】
１００  通信光可視化パッチパネル
１０１  通信光可視化アダプタ
１０２  パネル
１０３  光配線用棚板
１０４  通信光検知基板
１０５  給電部
１０６  給電ポート
１０７  実装口
１０８  固定孔
１０９  表示孔
１１０  通気孔
１１１  固定部
１１２  コネクタ
１１３  舌片
１１４  給電コード
１１５  給電線
【図１】
0006676965.tif 000002
【図２】
0006676965.tif 000003
【図３】
0006676965.tif 000004
【図４】
0006676965.tif 000005